(57)【要約】【課題】異常検出用に着色や切欠等を記録媒体に施さなくても、表示記録媒体や書込み装置の異常を検出することが可能な異常検出装置、書込み装置及び異常検出方法を提供する。【解決手段】この書込み装置１００Ａは、表示記録媒体２の所定の位置に設けられた一対の受電端子２０６Ａ，２０６Ｂに接離可能に接触する一対の給電端子９Ａ，９Ｂと、一対の給電端子９Ａ，９Ｂ間に電圧を印加する電圧印加部２１と、表示記録媒体２に光を照射する光照射部と、光照射部により表示記録媒体２に光が照射されているとき、電圧印加部２１により給電端子９Ａ，９Ｂ間に印加された電圧により受電端子２０６Ａ，２０６Ｂを介して給電端子９Ａ，９Ｂ間を流れる電流を検出する電流検出部２３と、電流検出部２３の検出結果に基づいて表示記録媒体２の挿入方向エラーを含む異常の有無を判定する挿入方向判定部２３とを備える。【選択図】図１
2007331339.tif 000002
【特許請求の範囲】
【請求項１】
表示記録媒体の所定の位置に設けられた一対の受電端子に接離可能に接触する一対の給電端子と、
前記一対の給電端子間に電圧を印加する電圧印加部と、
前記電圧印加部により前記一対の給電端子間に印加された前記電圧により前記一対の受電端子を介して前記一対の給電端子間を流れる電流を検出する検出部と、
前記検出部の検出結果に基づいて異常の有無を判定する判定部とを備えたことを特徴とする異常検出装置。
【請求項２】
表示記録媒体の所定の位置に設けられた一対の受電端子に接離可能に接触する一対の給電端子と、
前記一対の給電端子間に電圧を印加する電圧印加部と、
前記表示記録媒体に光を照射する光照射部と、
前記光照射部による光の照射に応じて、前記電圧印加部により前記一対の給電端子間に印加された前記電圧により前記一対の受電端子を介して前記一対の給電端子間を流れる電流を検出する検出部と、
前記検出部の検出結果に基づいて異常の有無を判定する判定部とを備えたことを特徴とする異常検出装置。
【請求項３】
前記判定部は、前記検出部により検出された電流値と基準値とを比較して前記異常の有無を判定することを特徴とする請求項１又は２に記載の異常検出装置。
【請求項４】
前記検出部は、前記一対の給電端子間に前記電圧が印加されているとき、前記光照射部による前記表示記録媒体への前記光の照射時及び非照射時にそれぞれ前記一対の給電端子間を流れる電流を検出し、
前記判定部は、前記光の照射時及び非照射時にそれぞれ検出された前記電流に基づいて異常の有無を判定することを特徴とする請求項２に記載の異常検出装置。
【請求項５】
表示記録媒体の所定の位置に設けられた一対の受電端子に接離可能に接触する一対の給電端子と、
前記一対の給電端子間に電圧を印加する電圧印加部と、
前記表示記録媒体に光を照射する光照射部と、
前記光照射部による光の照射に応じて、前記電圧印加部により前記一対の給電端子間に印加された前記電圧により前記一対の受電端子を介して前記一対の給電端子間を流れる電流を検出する検出部と、
前記検出部の検出結果に基づいて異常の有無を判定する判定部と、
前記光照射部による前記表示記録媒体への前記光の非照射時に前記検出部により前記電流を検出させ、前記判定部により判定させる第１の検出モード、及び前記第１の検出モードの判定結果が正常のとき、前記光照射部による前記表示記録媒体への前記光の照射時に前記検出部により前記電流を検出させ、前記判定部により判定させる制御部とを備えたことを特徴とする異常検出装置。
【請求項６】
前記制御手段は、前記第１の検出モードにおける判定結果が異常のとき、前記第１の検出モードをさらに１回又は複数回行い、それでも判定結果が異常のとき、前記表示記録媒体内の断線と判定し、前記第２の検出モードにおける判定結果が異常のとき、前記表示記録媒体の劣化と判定することを特徴とする請求項５に記載の異常検出装置。
【請求項７】
前記判定部は、前記表示記録媒体への光非照射時に前記検出部により検出された電流値と第１の基準値とを比較し、前記表示記録媒体への光照射時に前記検出部により検出された電流値と第２の基準値とを比較して前記異常の有無を判定することを特徴とする請求項４又は５に記載の異常検出装置。
【請求項８】
表示記録媒体の所定の位置に設けられた一対の受電端子に接離可能に接触する一対の給電端子と、
前記一対の給電端子間に電圧を印加する電圧印加部と、
前記表示記録媒体に画像データに基づく画像光を照射する光照射部と、
前記光照射部による光の照射に応じて、前記電圧印加部により前記一対の給電端子間に印加された前記電圧により前記一対の受電端子を介して前記一対の給電端子間を流れる電流を検出する検出部と、
前記検出部の検出結果に基づいて異常の有無を判定する判定部とを備えたことを特徴とする書込み装置。
【請求項９】
前記判定部は、前記表示記録媒体の向きを判定することを特徴とする請求項８に記載の書込み装置。
【請求項１０】
前記判定部は、前記光照射部による前記表示記録媒体への前記光の非照射時に前記検出部により検出された電流に基づいて前記表示記録媒体の向きを判定し、
前記光照射部による前記表示記録媒体への前記光の非照射時に前記検出部により検出された電流に基づいて前記表示記録媒体の劣化状態を判定することを特徴とする請求項８に記載の書込み装置。
【請求項１１】
前記判定部は、判定結果に対応した案内表示を行うことを特徴とする請求項８に記載の書込み装置。
【請求項１２】
所定の位置に一対の受電端子を有する表示記録媒体を所定の書込み位置に搬送する搬送部と、
前記搬送部によって前記所定の書込み位置に搬送された前記表示記録媒体の前記一対の受電端子に接触する一対の給電端子と、
前記表示記録媒体に画像データに基づく画像光を照射する光照射部と、
前記一対の給電端子間に電圧を印加する電圧印加部と、
前記光照射部による光の照射に応じて、前記電圧印加部により前記一対の給電端子間に印加された前記電圧により前記一対の受電端子を介して前記一対の給電端子間を流れる電流を検出する検出部と、
前記検出部の検出結果に基づいて異常の有無を判定する判定部とを備えたことを特徴とする書込み装置。
【請求項１３】
所定の位置に一対の受電端子を有する表示記録媒体を所定の書込み位置に搬送する搬送部と、
前記搬送部によって前記所定の書込み位置に搬送された前記表示記録媒体の前記一対の受電端子に接触する一対の給電端子と、
前記表示記録媒体に画像データに基づく画像光を照射する光照射部と、
前記一対の給電端子間に電圧を印加する電圧印加部と、
前記光照射部による光の照射に応じて、前記電圧印加部により前記一対の給電端子間に印加された前記電圧により前記一対の受電端子を介して前記一対の給電端子間を流れる電流を検出する電流検出部と、
前記表示記録媒体のサイズを検出するサイズ検出部と、
前記電流検出部によって検出された電流値と前記サイズ検出部によって検出された前記サイズに対応した基準値とを比較して異常の有無を判定する判定部とを備えたことを特徴とする書込み装置。
【請求項１４】
所定の位置に一対の受電端子を有する表示記録媒体に、着脱可能に装着されて前記一対の受電端子に接触する一対の給電端子を有するコネクタと、
前記一対の給電端子間に電圧を印加する電圧印加部と、
前記表示記録媒体に画像データに基づく画像光を照射する光照射部と、
前記光照射部による光の照射に応じて、前記電圧印加部により前記一対の給電端子間に印加された前記電圧により前記一対の受電端子を介して前記一対の給電端子間を流れる電流を検出する検出部と、
前記検出部の検出結果に基づいて異常の有無を判定する判定部とを備えたことを特徴とする書込み装置。
【請求項１５】
所定の位置に一対の受電端子を有する表示記録媒体の挿入操作により、前記一対の受電端子に接触する一対の給電端子と、
前記一対の給電端子間に電圧を印加する電圧印加部と、
前記表示記録媒体に画像データに基づく画像光を照射する光照射部と、
前記光照射部による光の照射に応じて、前記電圧印加部により前記一対の給電端子間に印加された前記電圧により前記一対の受電端子を介して前記一対の給電端子間を流れる電流を検出する検出部と、
前記検出部の検出結果に基づいて異常の有無を判定する判定部とを備えたことを特徴とする書込み装置。
【請求項１６】
表示記録媒体の所定の位置に設けられた一対の受電端子に一対の給電端子を接触させたとき、前記一対の給電端子間に電圧を印加して前記一対の受電端子を介して前記一対の給電端子間を流れる電流を検出する検出ステップと、
前記検出ステップにおける検出結果に基づいて異常の有無を判定する判定ステップとを含むことを特徴とする異常検出方法。
【請求項１７】
表示記録媒体の所定の位置に設けられた一対の受電端子に一対の給電端子を接触させたとき、前記一対の給電端子間に電圧を印加するとともに、前記表示記録媒体に光を照射して前記一対の受電端子を介して前記一対の給電端子間を流れる電流を検出する検出ステップと、
前記検出ステップにおける検出結果に基づいて異常の有無を判定する判定ステップとを含むことを特徴とする異常検出方法。
【発明の詳細な説明】
【技術分野】
【０００１】
本発明は、表示記録媒体や書込み装置の異常を検出する異常検出装置、書込み装置及び異常検出方法に関する。
【背景技術】
【０００２】
表示記録媒体として、一対の透明電極間に、液晶からなる表示層と、光の照射によって抵抗値が変化する光導電層とを積層した光書込み型電子ペーパが知られている。
【０００３】
この光書き込み型電子ペーパは、一対の透明電極から導出された一対の受電端子間に電圧を印加するとともに、光導電層に画像信号に応じた画像光を照射することにより、表示層に画像が書き込まれる。従って、光書き込み型電子ペーパは、受電端子及び画像光を照射する書込み面を位置合せする必要がある。
【０００４】
受電端子及び書込み面の位置合せを容易にした従来の書込みシステムとして、例えば、特許文献１に記載されたものが知られている。
【０００５】
この書込みシステムの表示記録媒体は、その表面の一つの長辺近傍と裏面の一つの短辺近傍に光反射率の低い色（例えば黒色）からなる挿入方向識別帯を形成し、その他の領域を光反射率の高い色（例えば白色）で着色したものである。書込み装置に挿入された表示記録媒体の挿入方向識別帯を光センサで検出することにより、装置内に挿入された表示記録媒体の上下（表裏）、左右（前後）の向き（挿入方向）を検出している。
【特許文献１】特開２００５−２３１３４２号公報
【発明の開示】
【発明が解決しようとする課題】
【０００６】
本発明の目的は、異常検出用に着色や切欠等を表示記録媒体に施さなくても、表示記録媒体や書込み装置の異常を検出することが可能な異常検出装置、書込み装置及び異常検出方法を提供することにある。
【課題を解決するための手段】
【０００７】
本発明の一態様は、上記目的を達成するため、以下の異常検出装置、書込み装置及び異常検出方法を提供する。
【０００８】
［１］表示記録媒体の所定の位置に設けられた一対の受電端子に接離可能に接触する一対の給電端子と、前記一対の給電端子間に電圧を印加する電圧印加部と、前記電圧印加部により前記一対の給電端子間に印加された前記電圧により前記一対の受電端子を介して前記一対の給電端子間を流れる電流を検出する検出部と、前記検出部の検出結果に基づいて異常の有無を判定する判定部とを備えたことを特徴とする異常検出装置。
【０００９】
［２］表示記録媒体の所定の位置に設けられた一対の受電端子に接離可能に接触する一対の給電端子と、前記一対の給電端子間に電圧を印加する電圧印加部と、前記表示記録媒体に光を照射する光照射部と、前記光照射部による光の照射に応じて、前記電圧印加部により前記一対の給電端子間に印加された前記電圧により前記一対の受電端子を介して前記一対の給電端子間を流れる電流を検出する検出部と、前記検出部の検出結果に基づいて異常の有無を判定する判定部とを備えたことを特徴とする異常検出装置。
【００１０】
［３］前記判定部は、前記検出部により検出された電流値と基準値とを比較して前記異常の有無を判定することを特徴とする前記［１］又は［２］に記載の異常検出装置。
【００１１】
［４］前記検出部は、前記一対の給電端子間に前記電圧が印加されているとき、前記光照射部による前記表示記録媒体への前記光の照射時及び非照射時にそれぞれ前記一対の給電端子間を流れる電流を検出し、前記判定部は、前記光の照射時及び非照射時にそれぞれ検出された前記電流に基づいて異常の有無を判定することを特徴とする前記［２］に記載の異常検出装置。
【００１２】
［５］表示記録媒体の所定の位置に設けられた一対の受電端子に接離可能に接触する一対の給電端子と、前記一対の給電端子間に電圧を印加する電圧印加部と、前記表示記録媒体に光を照射する光照射部と、前記光照射部による光の照射に応じて、前記電圧印加部により前記一対の給電端子間に印加された前記電圧により前記一対の受電端子を介して前記一対の給電端子間を流れる電流を検出する検出部と、前記検出部の検出結果に基づいて異常の有無を判定する判定部と、前記光照射部による前記表示記録媒体への前記光の非照射時に前記検出部により前記電流を検出させ、前記判定部により判定させる第１の検出モード、及び前記第１の検出モードの判定結果が正常のとき、前記光照射部による前記表示記録媒体への前記光の照射時に前記検出部により前記電流を検出させ、前記判定部により判定させる制御部とを備えたことを特徴とする異常検出装置。
【００１３】
［６］前記制御手段は、前記第１の検出モードにおける判定結果が異常のとき、前記第１の検出モードをさらに１回又は複数回行い、それでも判定結果が異常のとき、前記表示記録媒体内の断線と判定し、前記第２の検出モードにおける判定結果が異常のとき、前記表示記録媒体の劣化と判定することを特徴とする前記［５］に記載の異常検出装置。
【００１４】
［７］前記判定部は、前記表示記録媒体への光非照射時に前記検出部により検出された電流値と第１の基準値とを比較し、前記表示記録媒体への光照射時に前記検出部により検出された電流値と第２の基準値とを比較して前記異常の有無を判定することを特徴とする前記［４］又は［５］に記載の異常検出装置。
【００１５】
［８］表示記録媒体の所定の位置に設けられた一対の受電端子に接離可能に接触する一対の給電端子と、前記一対の給電端子間に電圧を印加する電圧印加部と、前記表示記録媒体に画像データに基づく画像光を照射する光照射部と、前記光照射部による光の照射に応じて、前記電圧印加部により前記一対の給電端子間に印加された前記電圧により前記一対の受電端子を介して前記一対の給電端子間を流れる電流を検出する検出部と、前記検出部の検出結果に基づいて異常の有無を判定する判定部とを備えたことを特徴とする書込み装置。
【００１６】
［９］前記判定部は、前記表示記録媒体の向きを判定することを特徴とする前記［８］に記載の書込み装置。
【００１７】
［１０］前記判定部は、前記光照射部による前記表示記録媒体への前記光の非照射時に前記検出部により検出された電流に基づいて前記表示記録媒体の向きを判定し、前記光照射部による前記表示記録媒体への前記光の非照射時に前記検出部により検出された電流に基づいて前記表示記録媒体の劣化状態を判定することを特徴とする前記［８］に記載の書込み装置。
【００１８】
［１１］前記判定部は、判定結果に対応した案内表示を行うことを特徴とする前記［８］に記載の書込み装置。
【００１９】
［１２］所定の位置に一対の受電端子を有する表示記録媒体を所定の書込み位置に搬送する搬送部と、前記搬送部によって前記所定の書込み位置に搬送された前記表示記録媒体の前記一対の受電端子に接触する一対の給電端子と、前記表示記録媒体に画像データに基づく画像光を照射する光照射部と、前記一対の給電端子間に電圧を印加する電圧印加部と、前記光照射部による光の照射に応じて、前記電圧印加部により前記一対の給電端子間に印加された前記電圧により前記一対の受電端子を介して前記一対の給電端子間を流れる電流を検出する検出部と、前記検出部の検出結果に基づいて異常の有無を判定する判定部とを備えたことを特徴とする書込み装置。
【００２０】
［１３］所定の位置に一対の受電端子を有する表示記録媒体を所定の書込み位置に搬送する搬送部と、前記搬送部によって前記所定の書込み位置に搬送された前記表示記録媒体の前記一対の受電端子に接触する一対の給電端子と、前記表示記録媒体に画像データに基づく画像光を照射する光照射部と、前記一対の給電端子間に電圧を印加する電圧印加部と、前記光照射部による光の照射に応じて、前記電圧印加部により前記一対の給電端子間に印加された前記電圧により前記一対の受電端子を介して前記一対の給電端子間を流れる電流を検出する電流検出部と、前記表示記録媒体のサイズを検出するサイズ検出部と、前記電流検出部によって検出された電流値と前記サイズ検出部によって検出された前記サイズに対応した基準値とを比較して異常の有無を判定する判定部とを備えたことを特徴とする書込み装置。
【００２１】
［１４］所定の位置に一対の受電端子を有する表示記録媒体に、着脱可能に装着されて前記一対の受電端子に接触する一対の給電端子を有するコネクタと、前記一対の給電端子間に電圧を印加する電圧印加部と、前記表示記録媒体に画像データに基づく画像光を照射する光照射部と、前記光照射部による光の照射に応じて、前記電圧印加部により前記一対の給電端子間に印加された前記電圧により前記一対の受電端子を介して前記一対の給電端子間を流れる電流を検出する検出部と、前記検出部の検出結果に基づいて異常の有無を判定する判定部とを備えたことを特徴とする書込み装置。
【００２２】
［１５］所定の位置に一対の受電端子を有する表示記録媒体の挿入操作により、前記一対の受電端子に接触する一対の給電端子と、前記一対の給電端子間に電圧を印加する電圧印加部と、前記表示記録媒体に画像データに基づく画像光を照射する光照射部と、前記光照射部による光の照射に応じて、前記電圧印加部により前記一対の給電端子間に印加された前記電圧により前記一対の受電端子を介して前記一対の給電端子間を流れる電流を検出する検出部と、前記検出部の検出結果に基づいて異常の有無を判定する判定部とを備えたことを特徴とする書込み装置。
【００２３】
［１６］表示記録媒体の所定の位置に設けられた一対の受電端子に一対の給電端子を接触させたとき、前記一対の給電端子間に電圧を印加して前記一対の受電端子を介して前記一対の給電端子間を流れる電流を検出する検出ステップと、前記検出ステップにおける検出結果に基づいて異常の有無を判定する判定ステップとを含むことを特徴とする異常検出方法。
【００２４】
［１７］表示記録媒体の所定の位置に設けられた一対の受電端子に一対の給電端子を接触させたとき、前記一対の給電端子間に電圧を印加するとともに、前記表示記録媒体に光を照射して前記一対の受電端子を介して前記一対の給電端子間を流れる電流を検出する検出ステップと、前記検出ステップにおける検出結果に基づいて異常の有無を判定する判定ステップとを含むことを特徴とする異常検出方法。
【発明の効果】
【００２５】
請求項１、２の異常検出装置によれば、異常検出用に着色や切欠等を表示記録媒体に施さなくても、表示記録媒体や書込み装置の異常を検出することが可能になり、書込み装置の故障、書込み不良の防止が可能になる。
請求項３の異常検出装置によれば、請求項１又は２と比較して、表示記録媒体や書込み装置の異常を正確に検出することが可能になる。
請求項４の異常検出装置によれば、請求項２と比較して、表示記録媒体や書込み装置の異常を高精度に検出することが可能になる。
請求項５の異常検出装置によれば、異常検出用に着色や切欠等を表示記録媒体に施さなくても、光書込み型の表示記録媒体や書込み装置の異常を詳細に検出することが可能になる。
請求項６の異常検出装置によれば、請求項５の効果に加えて、表示記録媒体の内部配線が断線しているか、表示記録媒体が劣化しているかを検出することができる。
請求項７の異常検出装置によれば、請求項４又は５と比較して、表示記録媒体や書込み装置の異常を正確に検出することが可能になる。
請求項８の書込み装置によれば、異常検出用に着色や切欠等を表示記録媒体に施さなくても、表示記録媒体や書込み装置の異常を検出することが可能になり、書込み不良を防止することができる。
請求項９の書込み装置によれば、請求項８と比較して、書込み不良の防止が容易になる。
請求項１０の書込み装置によれば、請求項８と比較して、表示記録媒体の異常をより詳細に検出することができる。
請求項１１の書込み装置によれば、請求項８の効果に加えて、利用者の利便性が向上する。
請求項１２の書込み装置によれば、表示記録媒体を装置内に搬送する構成において、異常検出用に着色や切欠等を表示記録媒体に施さなくても、表示記録媒体の挿入方向の誤りや書込み装置の異常を検出することが可能になる。
請求項１３の書込み装置によれば、請求項１２の効果に加えて、サイズの異なる各種の表示記録媒体について表示記録媒体の挿入方向の誤りや書込み装置の異常を検出することが可能になる。
請求項１４の書込み装置によれば、表示記録媒体にコネクタを装着する構成において、異常検出用に着色や切欠等を光書込み型の表示記録媒体に施さなくても、コネクタの装着方向の誤りや書込み装置の異常を検出することが可能になり、書込み装置の故障、書込み不良の防止が可能になる。
請求項１５の書込み装置によれば、表示記録媒体を操作により書込み装置に挿する構成において、異常検出用に着色や切欠等を表示記録媒体に施さなくても、表示記録媒体の挿入方向の誤りや書込み装置の異常を検出することが可能になり、書込み装置の故障、書込み不良の防止が可能になる。
請求項１６、１７の異常検出方法によれば、異常検出用に着色や切欠等を表示記録媒体に施さなくても、表示記録媒体や書込み装置の異常を検出することが可能になり、書込み装置の故障、書込み不良の防止が可能になる。
【発明を実施するための最良の形態】
【００２６】
本発明の実施の形態に係る書込みシステムは、所定の位置に一対の受電端子が設けられた表示記録媒体と、異常検出装置及び異常検出方法が適用され、表示記録媒体に画像を書き込む書込み装置とから構成されている。
【００２７】
一対の受電端子は、表示記録媒体の表面または裏面に設けられ、中心からずれた位置に配置されている。これにより、受電端子の位置から、表示記録媒体の上下（表裏）、左右（前後）の向き（挿入方向、装着方向）を特定することが可能になる。なお、表示記録媒体は、正方形等の他の形状でもよい。
【００２８】
書込み装置は、表示記録媒体の一対の受電端子に接離可能に接触する一対の給電端子と、一対の給電端子間に電圧を印加する電圧印加部と、表示記録媒体に光を照射する光照射部と、光照射部による表示記録媒体への光非照射時及び光照射時に、電圧印加部により一対の給電端子間に印加された電圧により一対の受電端子を介して一対の給電端子間を流れる電流を検出する電流検出部と、電流検出部の検出結果に基づいて異常の有無を判定する判定部とを備える。判定部は、電流検出部によって検出された電流値と基準電流値とを比較して判定する。
【００２９】
一対の受電端子に一対の給電端子が接離可能に接触する形態としては、利用者が書込み装置内に表示記録媒体を挿入し、表示記録媒体を書込み位置まで搬送部により搬送することにより受電端子と給電端子とが接触する形態、受電端子に給電端子を有するコネクタを装着することにより受電端子と給電端子とが接触する形態、及び利用者が書込み装置に表示記録媒体を挿入することにより、受電端子と給電端子とが接触する形態等があるが、これらの形態に限定されない。
【００３０】
給電端子間の抵抗値は、例えば、給電端子が受電端子に接触した場合、給電端子が表示記録媒体の他の部分に接触した場合、給電端子が受電端子に接触し、かつ、表示記録媒体の書込み領域に光が照射された場合、表示記録媒体内部で断線した場合、表示記録媒体が劣化した場合、書込み装置内部で断線した場合などにより異なる。従って、給電端子間に電圧を印加し、給電端子間に流れる電流を検出することにより、表示記録媒体や書込み装置の異常の有無を判定することができる。
【００３１】
［第１の実施の形態］
図１は、本発明の第１の実施の形態に係る書込みシステムを正面から見た断面図、図２は、平面図である。
【００３２】
（書込みシステム）
この書込みシステム１Ａは、画像の書換え可能な表示記録媒体２と、異常検出装置及び異常検出方法が適用され、表示記録媒体２に画像を書き込む書込み装置１００Ａとから構成されている。
【００３３】
（表示記録媒体）
表示記録媒体２は、薄型の略矩形状を有するフレキシブルな記録媒体であり、電圧の印加と画像光の照射によって画像が書き込まれる光書込み型電子ペーパである。表示記録媒体２は、所定の位置に電圧が印加される一対の受電端子２０６Ａ，２０６Ｂを有し、画像光が照射される書込み領域２ｃを有する。
【００３４】
（書込み装置）
書込み装置１００Ａは、下部筐体３と上部筐体４との間に空間５を有し、その空間５の挿入口５ａに挿入された表示記録媒体２や書込み装置１００Ａの異常の有無を検出し、異常が無いときに、表示記録媒体２に画像を書き込むように構成されている。
【００３５】
下部筐体３は、表示記録媒体２の挿入口５ａへの挿入を検出する挿入センサ６と、挿入口５ａに挿入された表示記録媒体２を空間５内の書込み位置まで搬送する複数の搬送ローラ７Ａ、７Ｂと、書込み位置で表示記録媒体２の先端が当接するストッパ８と、書込み位置で表示記録媒体２の一対の受電端子２０６Ａ，２０６Ｂに接触する一対の給電端子９Ａ，９Ｂと、表示記録媒体２の書込み領域２ｃに画像光を照射して画像を書き込む光照射部１０と、図２に示すように、表示記録媒体２の挿入方向エラー等のメッセージをＬＣＤ(Liquid Crystal Display)により表示するメッセージ表示部１１とを備える。
【００３６】
上部筐体４は、下部筐体３に設けられた複数の搬送ローラ７Ａ、７Ｂに対向して配置された複数の搬送ローラ７Ｃ、７Ｄが配設されている。搬送ローラ７Ａ〜７Ｄは、筐体３、４から空間５に僅かに突出するように配置され、表示記録媒体２を挟持して搬送するように構成されている。本実施の形態では、搬送ローラ７Ａ〜７Ｄのうち下部筐体３に設けられた搬送ローラ７Ａ，７Ｂを駆動ローラとし、上部筐体４に設けられた搬送ローラ７Ｃ，７Ｄを駆動ローラに従動して回転する従動ローラとするが、これとは逆に、搬送ローラ７Ａ，７Ｂを従動ローラとし、搬送ローラ７Ｃ，７Ｄを駆動ローラとしてもよい。
【００３７】
また、上部筐体４は、表示記録媒体２のジャム等の異常時あるいはメンテナンス時のために、図示しないヒンジにより下部筐体３に対して開閉可能に構成されている。
【００３８】
挿入センサ６は、表示記録媒体２に光を照射する発光素子、及び表示記録媒体２で反射した光を受光する受光素子から構成されている。なお、挿入センサ６は、発光素子と受光素子を表示記録媒体２の搬送路を介して対向して配置した構成としてもよく、マイクロスイッチや磁気センサ等の他のセンサを用いてもよい。
【００３９】
給電端子９Ａ，９Ｂは、リン青銅、ベリリウム銅等の銅合金やステンレス鋼等の導電性を有するばね材料を用いて形成され、「ヘ」の字形に曲げ加工が施され、膨出点が表示記録媒体２の受電端子２０６Ａ，２０６Ｂに弾性的に接触するように構成されている。
【００４０】
光照射部１０は、表示記録媒体２の書込み領域２ｃと同等の大きさを有し、画像光を書込み領域２ｃに照射するＬＣＤ(Liquid Crystal Display)パネル１１０と、ＬＣＤパネル１１０の背面からバックライト光を照射するバックライト１１１とを備える。
【００４１】
（表示記録媒体）
図３（ａ），（ｂ）は、それぞれタイプの異なる表示記録媒体の層構成を模式的に表わしたものであり、図１のＡ−Ａ線断面図である。図３（ａ）に示す表示記録媒体２は、対向配置されたＰＥＴ（ポリエチレンテレフタレート）フィルムからなる透明の第１および第２の基板２００Ａ，２００Ｂと、第１および第２の基板２００Ａ，２００Ｂの内側に形成されたＩＴＯ（インジウム錫酸化物）からなる透明の第１および第２の電極２０１Ａ，２０１Ｂと、コレステリック液晶が封入されたマイクロカプセル２０２ａを有して構成され、第２の電極２０１Ｂの内側に設けられるとともに、印加される電圧に応じて反射率（透過率）が変化する液晶層２０２と、第１の電極２０１Ａの内側に配置され、光の照射によって抵抗値が小さくなる光導電層２０３と、液晶層２０２と光導電層２０３との間に配置された光吸収層２０４と、第１の電極２０１Ａに接続された受電端子２０６Ａと、第２の電極２０１Ｂに延在部２０７を介して接続された受電端子２０６Ｂとを備える。
【００４２】
光導電層２０３は、電荷輸送層と、この電荷輸送層の両側に積層された一対の電荷発生層とからなる。これにより、液晶層２０２への交流電圧の印加が可能となるため、液晶層２０２の劣化を抑えることができ、駆動電圧の低電圧化、表示記録媒体２の高寿命化を実現することができる。
【００４３】
図３（ｂ）に示す表示記録媒体２は、図３（ａ）に示した表示記録媒体２において、光吸収層２０４を第２の電極２０１Ｂの内側に配設し、液晶層２０２と光導電層２０３の間に隔離層２０５を追加したものであり、その他の構成は図３（ａ）と同様である。
【００４４】
（書込み装置の制御系）
図４は、書込み装置１００Ａの制御系を示す。この書込み装置１００Ａは、装置１００Ａ全体を制御する制御部２０を有し、この制御部２０に、書込み位置に位置する表示記録媒体２の受電端子２０６Ａ，２０６Ｂに給電端子９Ａ，９Ｂを介してパルス電圧を印加する電圧印加部２１と、一対の給電端子９Ａ，９Ｂ間を流れる電流を検出する電流検出部２２と、電流検出部２２によって検出された電流値に基づいて表示記録媒体２の挿入方向（向き）エラーを含む異常の有無を判定する挿入方向判定部２３と、搬送ローラ７Ａ〜７Ｄを回転駆動して表示記録媒体２を搬送する搬送駆動部２４と、ＬＣＤパネル１１０に画像データに応じた駆動信号を供給するＬＣＤパネル駆動部２５と、バックライト１１１を点灯するバックライト点灯部２６と、表示記録媒体２に書き込むべき画像データを記憶する画像データ記憶部２７と、インターネット、ＬＡＮ(Local Area Network)等のネットワークに接続された通信インタフェース（Ｉ／Ｆ）２８とを各々接続している。また、制御部２０に前述した挿入センサ６及びメッセージ表示部１１を接続している。
【００４５】
搬送駆動部２４は、搬送ローラ７Ａ，７Ｂを回転駆動する図示しないモータを備える。搬送ローラ７Ａ〜７Ｄは、モータからの駆動力を搬送ベルト等を介して伝達されるようにしてもよい。
【００４６】
挿入方向判定部２３は、電流検出部２２によって検出された電流値と光非照射時の基準値及び光照射時の基準値とを比較し、比較結果に基づいて異常の有無を判定するものである。挿入方向判定部２３は、例えば、比較器、基準電源等を用いて構成することができる。挿入方向判定部２３が判定する異常には、主に以下のものがあるが、これらに限定されない。
（１）表示記録媒体２の挿入方向エラー
（２）表示記録媒体２の断線
（３）表示記録媒体２の劣化
【００４７】
制御部２０は、ＣＰＵ、ＲＡＭ、ＲＯＭ、ＨＤＤ等を用いて構成されており、ＨＤＤ、ＲＯＭ等には、図６のフローチャートに示すような検出プログラムを含むＣＰＵの各種のプログラムが格納されている。プログラムは、ＣＤ−ＲＯＭ等の記録メディアから書込み装置１００Ａ内に取り込んでもよく、ネットワークを介して書込み装置１００Ａ内に取り込んでもよい。
【００４８】
また、制御部２０は、光非照射時に給電端子９Ａ，９Ｂ間に電圧を印加させて、給電端子９Ａ，９Ｂ間に流れる電流を電流検出部２２に検出させ、挿入方向判定部２３に挿入方向エラーを含む異常の有無を判定させる第１の検出モードと、光照射時に給電端子９Ａ，９Ｂ間に電圧を印加させて、給電端子９Ａ，９Ｂ間に流れる電流を電流検出部２２に検出させ、挿入方向判定部２３に表示記録媒体２の劣化を含む異常の有無を判定させる第２の検出モードを有する。
【００４９】
（第１の実施の形態の動作）
次に、本実施の形態の書込みシステム１Ａの動作を図５、図６を参照して説明する。
【００５０】
図５は、表示記録媒体の挿入方向と給電端子間を流れる電流の値を示し、（ａ）は、表示記録媒体が正常に挿入された場合、（ｂ）は、挿入方向エラーの場合、（ｃ）は、表示記録媒体内の断線の場合、（ｄ）は、表示記録媒体が劣化した場合をそれぞれ示す。図６は、書込みシステムの動作を示すフローチャートである。
【００５１】
ユーザが、表示記録媒体２を挿入口５ａに挿入する（Ｓ１）。本実施の形態では、表示記録媒体２の給電端子２０６Ａ，２０６Ｂが露出している面（裏面２ｂ）が下側となり、給電端子２０６Ａ，２０６Ｂが先頭側（前）となる方向が正しい挿入方向となる。
【００５２】
挿入センサ６が表示記録媒体２の挿入を検出すると、検出信号を制御部２０に送る。制御部２０は、検出信号を受信すると、搬送駆動部２４を制御して搬送ローラ７Ａ〜７Ｄを回転させて表示記録媒体２を搬送させる。搬送駆動部２４は、一定時間搬送ローラ７Ａ〜７Ｄを回転させる。表示記録媒体２は、その先端がストッパ８に当接して書込み位置に停止する。
【００５３】
表示記録媒体２が書込み位置に停止すると、表示記録媒体２の受電端子２０６Ａ，２０６Ｂは、給電端子９Ａ，９Ｂに接触する。
【００５４】
制御部２０は、電圧印加部２１により給電端子９Ａ，９Ｂ間にパルス電圧を所定の時間印加する（Ｓ２）。パルス電圧は、画像書込時と同一の電圧値でもよく、それよりも低い電圧値でもよい。パルス電圧を給電端子９Ａ，９Ｂ間に印加すると、受電端子２０６Ａ，２０６Ｂ及び電極２０１Ａ，２０１Ｂを介して給電端子９Ａ，９Ｂ間を電流が流れる。電流検出部２２は、その電流値Ａ１を検出する（Ｓ３）。挿入方向判定部２３は、電流値Ａ１と基準電流値ＴＨ1とを比較し、異常の有無を判定する（Ｓ４）。
【００５５】
挿入方向判定部２３は、電流値Ａ１が基準電流値ＴＨ1より大きいときは、正常と判定し、電流値Ａ１が基準電流値ＴＨ1以下のときは、異常と判定する。
【００５６】
上記ステップＳ４において、図５（ａ）に示すように、表示記録媒体２の挿入方向が正しく、電流値Ａ１は正常と判定されたとき（Ｓ４：Ｙｅｓ）、制御部２０は、再び電圧印加部２１により給電端子９Ａ，９Ｂ間にパルス電圧を所定の時間印加するとともに、バックライト点灯部２６を点灯させ、ＬＣＤパネル駆動部２５により表示記録媒体２に全面白表示となる光を照射させる（Ｓ５）。
【００５７】
光の照射により表示記録媒体２の光導電層２０３の抵抗値が低下し、受電端子２０６Ａ，２０６Ｂ及び電極２０１Ａ，２０１Ｂを介して給電端子９Ａ，９Ｂ間を電流が流れる。電流検出部２２は、その電流値Ａ２を検出する（Ｓ６）。挿入方向判定部２３は、電流値Ａ２と基準電流値ＴＨ2とを比較し、異常の有無を判定する（Ｓ７）。
【００５８】
挿入方向判定部２３は、電流値Ａ２が基準電流値ＴＨ２より大きいときは、正常と判定し、電流値Ａ２が基準電流値ＴＨ２以下のときは、異常と判定する。
【００５９】
上記ステップＳ７において、図５（ａ）に示すように、電流値Ａ２は正常と判定されたとき（Ｓ７：Ｙｅｓ）、制御部２０は、通常の書込みシーケンスへ移行する（Ｓ８）。
【００６０】
上記ステップＳ４において、電流値Ａ１は異常と判定されたとき（Ｓ４：Ｎｏ）、制御部２０は、メッセージ表示部１１に表示記録媒体２を正しい方向に挿入することを促すメッセージを表示する（Ｓ９）。このとき、制御部２０は、搬送駆動部２４を制御して搬送ローラ７Ａ〜７Ｄを逆転させ、表示記録媒体２を挿入口５ａ側に排出する。
【００６１】
例えば、図５（ｂ）に示すように、表示記録媒体２を受電端子２０６Ａ，２０６Ｂが後側となる向きで挿入した場合は、表示記録媒体２の受電端子２０６Ａ，２０６Ｂに電圧が印加されないため、光照射の有無に拘らず高抵抗となり、電流値Ａ１は基準電流値ＴＨ１以下となり、電流値Ａ１は異常と判定される。メッセージ表示部１１に表示されたメッセージに従い、図５（ａ）に示すように、表示記録媒体２を正しい方向に挿入すれば、電流値Ａ１は正常と判定される。
【００６２】
繰返し回数がＮ回に達していないことを確認した後（Ｓ１０：Ｎｏ）、前述したように表示記録媒体２の挿入（Ｓ１）、電圧印加ＯＮ（Ｓ２）、電流値Ａ１検出（Ｓ３）を行い、電流値Ａ１が正常か否かを判定する（Ｓ４）。異常の場合は（Ｓ４：Ｎｏ）、再びメッセージをメッセージ表示部１１に表示し（Ｓ９）、Ｎ回繰り返していれば（Ｓ１０：Ｙｅｓ）、挿入方向判定部２３は、表示記録媒体２の内部配線の断線等の異常が発生したと判断し、表示記録媒体２が不良である旨をメッセージ表示部１１に表示する（Ｓ１１）。
【００６３】
例えば、図５（ｃ）に示すように、表示記録媒体２の内部で断線が発生している場合は、電極２０１Ａ，２０１Ｂ間に電圧が印加されないため、光照射の有無に拘らず高抵抗となり、何回繰り返しても電流値Ａ１は異常と判定され、表示記録媒体２が不良である旨が表示される。
【００６４】
なお、異常の原因として、表示記録媒体２の断線の他に、稀ではあるが、給電端子９Ａ，９Ｂと受電端子２０６Ａ，２０６Ｂとの間の接触不良、書込み装置１００Ａ側の故障等が考えられる。
【００６５】
上記ステップＳ７において、電流値Ａ２が異常と判定されたとき（Ｓ７：Ｎｏ）、制御部２０は、表示記録媒体２が劣化したと判断し、表示記録媒体２が不良である旨をメッセージ表示部１１に表示する（Ｓ１１）。なお、表示記録媒体２が劣化していることをメッセージ表示部１１に表示してもよい。このとき、制御部２０は、搬送駆動部２４を制御して搬送ローラ７Ａ〜７Ｄを逆転させ、表示記録媒体２を挿入口５ａ側に排出する。
【００６６】
例えば、図５（ｄ）に示すように、表示記録媒体２が劣化している場合は、電流値Ａ１が光非照射時では基準電流値ＴＨ１より大きいが、光照射時では電流値Ａ２が基準電流値ＴＨ２よりも小さくなるため、表示記録媒体２の劣化を判定することができる。
【００６７】
なお、表示記録媒体２が劣化している場合は、光非照射時では電流値Ａ１が正常時の場合よりも大きくなるため、上限となる基準電流値ＴＨ３を設定し、光非照射時に表示記録媒体２の劣化も判定するようにしてもよい。
【００６８】
（通常の書込みシーケンス）
ここで、通常の書込みシーケンスについて説明する。制御部２０は、画像データを画像データ記憶部２７から読み出し、書込み制御を行う。すなわち、電圧印加部２１は、制御部２０の制御により、給電端子９Ａ，９Ｂを介して受電端子２０６Ａ，２０６Ｂ間に電圧を印加する。また、ＬＣＤパネル駆動部２５は、制御部２０の制御により、画像データに応じた駆動信号をＬＣＤパネル１１０に供給する。ＬＣＤパネル１１０は、ＬＣＤパネル駆動部２５からの駆動信号に基づいて画像光１１２を表示記録媒体２に照射する。
【００６９】
画像光１１２が表示記録媒体２に照射すると、図３（ａ）に示す表示記録媒体２では、画像光１１２が、第１の基板２００Ａおよび第１の電極２０１Ａを透過し、光導電層２０３に到達する。
【００７０】
光導電層２０３は、光が照射された部分の抵抗値が小さくなり、それにより、光導電層２０３とのインピーダンス比で決まる液晶層２０２の分圧が増加し、液晶層２０２における光反射率が大きくなる。従って、画像の書込みが終了した後、表示記録媒体２の表面２ａに照明光が照射された場合に、液晶層２０２の光が照射された領域は、反射率が大きくなるために照明光が反射して白く見え、光が照射されなかった領域は、照明光が液晶層２０２を透過して光吸収層２０４で吸収されるために黒く見える。これを視線Ｅの方向から画像として見ることができる。この画像は、第１および第２の電極２０１Ａ，２０１Ｂへの電圧印加が消失した後でも、長時間保持される。
【００７１】
図３（ｂ）に示す表示記録媒体２の場合は、画像光１１２は、第１の基板２００Ａ、第１の電極２０１Ａ、液晶層２０２および隔離層２０５を順次透過し、光導電層２０３に到達する。
【００７２】
光導電層２０３は、光が照射された部分の抵抗値が小さくなり、それにより、光導電層２０３とのインピーダンス比で決まる液晶層２０２の分圧が増加し、液晶層２０２における光反射率が大きくなる。従って、表示記録媒体２の裏面２ｂに照明光が照射された場合、光が照射された領域は液晶層２０２で反射して白く見え、光が照射されていない領域は液晶層２０２を透過して光吸収層２０４で吸収されるために黒く見える。これを視線Ｅの方向から画像として見ることができる。この画像は、第１および第２の電極２０１Ａ，２０１Ｂへの電圧印加が消失した後でも、長時間保持される。
【００７３】
制御部２０は、表示記録媒体２への画像の書込みが終了すると、搬送駆動部２４を制御して搬送ローラ７Ａ〜７Ｄを逆転させ、表示記録媒体２を挿入口５ａ側に排出する。
【００７４】
［第２の実施の形態］
図７は、本発明の第２実施の形態に係る書込みシステムを示し、（ａ）は斜視図、（ｂ）は、（ａ）のＢ−Ｂ線断面図である。
【００７５】
この書込みシステム１Ｂは、第１の実施の形態の表示記録媒体２に対して受電端子２０６Ａ，２０６Ｂを表面２ａに配置した表示記録媒体２と、表示記録媒体２に画像を書き込むスタンド型の書込み装置１００Ｂとから構成されている。
【００７６】
書込み装置１００Ｂは、ベース部１２１、スタンド部１２２及び表示部１２３からなる装置本体１２０と、装置本体１２０にケーブル１２４を介して接続されたコネクタ１３０とを有する。
【００７７】
装置本体１２０の表示部１２３には、第１の実施の形態と同様のＬＣＤパネル１１０及びメッセージ表示部１１が設けられている。
【００７８】
コネクタ１３０は、矩形状のコネクタケース１３１と、コネクタケース１３１に設けられ、表示記録媒体２が挿入される溝１３２と、コネクタケース１３１の上面に設けられた操作ボタン１３３と、表示記録媒体２の受電端子２０６Ａ，２０６Ｂに弾性的に接触する給電端子９Ａ，９Ｂとを備える。コネクタケース１３１は、表示記録媒体２の長辺と短辺がそれぞれ当接する当接面１３２ａ，１３２ｂを有する。
【００７９】
図８は、書込み装置１００Ｂの制御系を示す。この書込み装置１００Ｂは、装置１００Ｂ全体を制御する制御部２０を有し、この制御部２０に、表示記録媒体２の受電端子２０６Ａ，２０６Ｂにケーブル１２４及び給電端子９Ａ，９Ｂを介してパルス電圧を印加する電圧印加部２１と、一対の給電端子９Ａ，９Ｂ間を流れる電流を検出する電流検出部２２と、電流検出部２２によって検出された電流値に基づいてコネクタ１３０との装着方向（向き）を含む異常の有無を判定する装着方向判定部２９と、ＬＣＤパネル１１０に画像データに応じた駆動信号を供給するＬＣＤパネル駆動部２５と、バックライト１１１を点灯するバックライト点灯部２６と、表示記録媒体２に書き込むべき画像データを記憶する画像データ記憶部２７と、インターネット、ＬＡＮ等のネットワークに接続された通信インタフェース（Ｉ／Ｆ）２８と、メッセージ表示部１１とを各々接続している。
【００８０】
装着方向判定部２９は、第１の実施の形態の挿入方向判定部２３と同様に、比較器、基準電源等を用いて構成することができる。
【００８１】
制御部２０は、ＣＰＵ、ＲＡＭ、ＲＯＭ、ＨＤＤ等を用いて構成されており、ＨＤＤ、ＲＯＭ等には、図９のフローチャートに示すような検出プログラムを含むＣＰＵの各種のプログラムが格納されている。プログラムは、ＣＤ−ＲＯＭ等の記録メディアから書込み装置１００Ｂ内に取り込んでもよく、ネットワークを介して書込み装置１００Ｂ内に取り込んでもよい。
【００８２】
（第２の実施の形態の動作）
次に、本実施の形態の書込みシステム１Ｂの動作を図９のフローチャートを参照して説明する。
【００８３】
ユーザが、表示記録媒体２にコネクタ１３０を正しく装着すると（Ｓ２１）、表示記録媒体２の受電端子２０６Ａ，２０６Ｂは、給電端子９Ａ，９Ｂに接触する。表示記録媒体２にコネクタ１３０を正しく装着するためには、表示記録媒体２の表面２ａを上にし、表示記録媒体２の長辺と短辺がそれぞれコネクタケース１３１の当接面１３２ａ，１３２ｂに当接するようにコネクタ１３０にセットする。
【００８４】
次に、ユーザは、コネクタ１３０が装着された表示記録媒体２を裏面２ｂが下になるようにしてＬＥＤパネル１１０上に近接して配置し、コネクタ１３０の操作ボタン１３３を押下すると（Ｓ２２）、操作ボタン１３３は、押下信号をケーブル１２４を介して制御部２０に送る。制御部２０は、押下信号に基づいて電圧印加部２１により給電端子９Ａ，９Ｂ間にパルス電圧を所定の時間印加させる（Ｓ２３）。パルス電圧を給電端子９Ａ，９Ｂ間に印加すると、受電端子２０６Ａ，２０６Ｂ及び電極２０１Ａ，２０１Ｂを介して給電端子９Ａ，９Ｂ間を電流が流れる。電流検出部２２は、その電流値Ａ１を検出する（Ｓ２４）。装着方向判定部２９は、電流値Ａ１と基準電流値ＴＨ1とを比較し、異常の有無を判定する（Ｓ２５）。
【００８５】
装着方向判定部２９は、電流値Ａ１が基準電流値ＴＨ1より大きいときは、正常と判定し、電流値Ａ１が基準電流値ＴＨ1以下のときは、異常と判定する。
【００８６】
上記ステップＳ２５において、表示記録媒体２の装着が正しく、電流値Ａ１は正常と判定されたとき（Ｓ２５：Ｙｅｓ）、制御部２０は、再び電圧印加部２１により給電端子９Ａ，９Ｂ間にパルス電圧を所定の時間印加するとともに、バックライト点灯部２６を点灯させ、ＬＣＤパネル駆動部２５により表示記録媒体２に全面白表示となる光を照射させる（Ｓ２６）。
【００８７】
光の照射により表示記録媒体２の光導電層２０３の抵抗値が低下し、受電端子２０６Ａ，２０６Ｂ及び電極２０１Ａ，２０１Ｂを介して給電端子９Ａ，９Ｂ間を電流が流れる。電流検出部２２は、その電流値Ａ２を検出する（Ｓ２７）。装着方向判定部２９は、電流値Ａ２と基準電流値ＴＨ2とを比較し、異常の有無を判定する（Ｓ２８）。
【００８８】
装着方向判定部２９は、電流値Ａ２が基準電流値ＴＨ２より大きいときは、正常と判定し、電流値Ａ２が基準電流値ＴＨ２以下のときは、異常と判定する。
【００８９】
上記ステップＳ２８において、電流値Ａ２は正常と判定されたとき（Ｓ２８：Ｙｅｓ）、制御部２０は、通常の書込みシーケンスへ移行する（Ｓ２９）。なお、書込みシーケンスは、第１の実施の形態と同様であるので、説明を省略する。
【００９０】
上記ステップＳ２５において、電流値Ａ１は異常と判定されたとき（Ｓ２５：Ｎｏ）、制御部２０は、メッセージ表示部１１にコネクタ１３０を表示記録媒体２に正しく装着することを促すメッセージを表示する（Ｓ３０）。
【００９１】
繰返し回数がＮ回に達していないことを確認した後（Ｓ３１：Ｎｏ）、前述したようにコネクタ１３０の表示記録媒体２への装着（Ｓ２１）、電圧印加ＯＮ（Ｓ２３）、電流値Ａ１検出（Ｓ２４）を行い、電流値Ａ１が正常か否かを判定する（Ｓ２５）。異常の場合は（Ｓ２５：Ｎｏ）、再びメッセージをメッセージ表示部１１に表示し（Ｓ３０）、Ｎ回繰り返していれば（Ｓ３１：Ｙｅｓ）、表示記録媒体２は、内部配線の断線等の異常が発生したと判断し、表示記録媒体２が不良である旨をメッセージ表示部１１に表示する（Ｓ３２）。
【００９２】
なお、異常の原因として、表示記録媒体２の断線の他に、稀ではあるが、給電端子９Ａ，９Ｂと受電端子２０６Ａ，２０６Ｂとの間の接触不良、ケーブル１２４の断線、書込み装置１００Ｂ側の故障等が考えられる。
【００９３】
上記ステップＳ２８において、電流値Ａ２が異常と判定されたとき、制御部２０は、表示記録媒体２が劣化したと判断し、表示記録媒体２が不良である旨をメッセージ表示部１１に表示する（Ｓ３２）。なお、表示記録媒体２が劣化していることをメッセージ表示部１１に表示してもよい。
【００９４】
［第３の実施の形態］
図１０は、本発明の第３の実施の形態に係る書込みシステムの斜視図である。
【００９５】
この書込みシステム１Ｃは、第１の実施の形態と同様の表示記録媒体２と、異常検出装置及び異常検出方法が適用された書込み装置１００Ｃとから構成されている。
【００９６】
書込み装置１００Ｃは、表示記録媒体２に画像を書き込む装置本体１４０と、装置本体１４０に対してヒンジ１４１によって開閉可能に取り付けられたタブレットＰＣ部１５０とから構成されている。
【００９７】
装置本体１４０は、書込み位置で表示記録媒体２の先端が当接するＬ字状のストッパ１４２と、表示記録媒体２の先端をストッパ１４２に当接したとき、表示記録媒体２の給電端子２０６Ａ，２０６Ｂに弾性的に接触する給電端子９Ａ，９Ｂと、表示記録媒体２の書込み領域２ｃに画像光を照射するＬＣＤパネル１１０とを備える。また、装置本体１４０は、第１の実施の形態と同様に、ＬＣＤパネル１１０及びバックライト１１１からなる光照射部１０と、制御部２０と、電圧印加部２１と、電流検出部２２と、挿入方向判定部２３と、ＬＣＤパネル駆動部２５と、バックライト点灯部２６と、画像データ記憶部２７と、通信Ｉ／Ｆ２８とを備える。
【００９８】
タブレットＰＣ部１５０は、タブレット方式の入力表示部１５１を有する。入力表示部１５１は、画像を表示するＬＣＤ(Liquid Crystal Display)と、ＬＣＤと同一のサイズを有してＬＣＤの下面側に重合配置されたタブレットとからなる。タブレットは、電子ペン１５２を用いて電磁誘導方式により入力が可能となっている。なお、タブレットは、タッチパネル方式を用いてもよい。これにより、手指によっても入力が可能になる。
【００９９】
（第３の実施の形態の動作）
次に、本実施の形態の書込みシステム１Ｃの動作を説明する。なお、書込みシステム１Ｃの基本点な動作は、第１の実施の形態と同様であるので、図６を参照して説明する。
【０１００】
ユーザは、表示記録媒体２の挿入操作により、給電端子２０６Ａ，２０６Ｂに表示記録媒体２の受電端子２０６Ａ，２０６Ｂを接触させる。すなわち、表示記録媒体２の先端をストッパ１４２の内側に挿入する（Ｓ１）。本実施の形態では、表示記録媒体２の給電端子２０６Ａ，２０６Ｂが露出している面（裏面２ｂ）が下側となり、給電端子２０６Ａ，２０６Ｂが先頭側（前）となる方向が正しい挿入方向となる。このとき、表示記録媒体２の長辺と短辺がストッパ１４２に設けた当接面１４３ａ，１４３ｂに当接するようにする。
【０１０１】
表示記録媒体２を正しい方向に挿入すると、表示記録媒体２の受電端子２０６Ａ，２０６Ｂは、給電端子９Ａ，９Ｂに接触する。
【０１０２】
ユーザがタブレットＰＣ部１５０の入力表示部１５１のメニュー画面上で電子ペン１５２を用いてスタートボタンを選択すると、制御部２０は、電圧印加部２１により給電端子９Ａ，９Ｂ間にパルス電圧を所定の時間印加する（Ｓ２）。受電端子２０６Ａ，２０６Ｂ及び電極２０１Ａ，２０１Ｂを介して給電端子９Ａ，９Ｂ間に電流が流れる。電流検出部２２は、その電流値Ａ１を検出する（Ｓ３）。挿入方向判定部２３は、電流値Ａ１と基準電流値ＴＨ１とを比較し、異常の有無を判定する（Ｓ４）。
【０１０３】
挿入方向判定部２３は、電流値Ａ１が基準電流値ＴＨ１より大きいときは、正常と判定し、電流値Ａ１が基準電流値ＴＨ１以下のときは、異常と判定する。
【０１０４】
上記ステップＳ４において、コネクタ１３０の装着方向が正しく、電流値Ａ１は正常と判定されたとき（Ｓ４：Ｙｅｓ）、制御部２０は、再び電圧印加部２１により給電端子９Ａ，９Ｂ間にパルス電圧を所定の時間印加するとともに、バックライト点灯部２６を点灯させ、ＬＣＤパネル駆動部２５により表示記録媒体２に全面白表示となる光を照射させる（Ｓ５）。
【０１０５】
光の照射により表示記録媒体２の光導電層２０３の抵抗値が低下し、受電端子２０６Ａ，２０６Ｂ及び電極２０１Ａ，２０１Ｂを介して給電端子９Ａ，９Ｂ間に電流が流れる。電流検出部２２は、その電流値Ａ２を検出する（Ｓ６）。挿入方向判定部２３は、電流値Ａ２と基準電流値ＴＨ２とを比較し、異常の有無を判定する（Ｓ７）。
【０１０６】
挿入方向判定部２３は、電流値Ａ２が基準電流値ＴＨ２より大きいときは、正常と判定し、電流値Ａ２が基準電流値ＴＨ２以下のときは、異常と判定する。
【０１０７】
上記ステップＳ７において、電流値Ａ２は正常と判定されたとき（Ｓ７：Ｙｅｓ）、制御部２０は、通常の書込みシーケンスへ移行する（Ｓ８）。
【０１０８】
上記ステップＳ４において、電流値Ａ１は異常と判定されたとき（Ｓ４：Ｎｏ）、制御部２０は、入力表示部１５１に表示記録媒体２を正しい方向に挿入することを促すメッセージを表示する（Ｓ９）。
【０１０９】
繰返し回数がＮ回に達していないことを確認した後（Ｓ１０：Ｎｏ）、前述したように表示記録媒体２の挿入（Ｓ１）、電圧印加ＯＮ（Ｓ２）、電流値Ａ１検出（Ｓ３）を行い、電流値Ａ１が正常か否かを判定する（Ｓ４）。異常の場合は（Ｓ４：Ｎｏ）、再びメッセージを入力表示部１５１に表示し（Ｓ９）、Ｎ回繰り返していれば（Ｓ１０：Ｙｅｓ）、表示記録媒体２は、内部配線の断線等の異常が発生したと判断し、表示記録媒体２が不良である旨を入力表示部１５１に表示する（Ｓ１１）。
【０１１０】
上記ステップＳ７において、電流値Ａ２が異常と判定されたとき、制御部２０は、（Ｓ１）表示記録媒体２が劣化したと判断し、表示記録媒体２が不良である旨をメッセージ表示部１１に表示する（Ｓ１１）。
【０１１１】
なお、本発明は、上記各実施の形態に限定されず、その要旨を変更しない範囲内で種々な変形が可能である。また、本発明の要旨を変更しない範囲内で各実施の形態の構成要素を任意に組み合わせることができる。
【０１１２】
表示記録媒体２は、サイズはＡ４、Ａ５等のノートサイズでもよく、名刺等のカードサイズでもよい。また、ＲＦＩＤタグ、接触式ＩＣタグ等を備えたものでもよい。この場合は、書込み装置やコネクタ側にタグのリーダライタを有する。
【０１１３】
上記実施の形態では、メッセージを書込み装置１００Ａのメッセージ表示部１１に表示したが、通信Ｉ／Ｆ２８によりネットワークを介して管理サーバ等に通知してもよい。
【０１１４】
上記各実施の形態では、光非照射時に電流を検出した後、光照射時に電流を検出したが、光非照射時の電流検出を行わずに、光照射時の電流検出を行ってもよい。
【０１１５】
また、光非照射時と光照射時の電流値の差と基準値とを比較して表示記録媒体２の挿入方向エラー、装着方向エラー、劣化等を判定してもよい。
【０１１６】
また、電流検出部により電流の積分値を検出し、電流積分値と基準値とを比較して異常の有無を判定してもよい。
【０１１７】
また、表示記録媒体のサイズを検出するサイズ検出手段を設け、表示記録媒体のサイズに応じて基準電流値を補正してもよい。サイズ検出手段は、表示記録媒体の幅または長さを検出する光センサ等を用いて構成することができる。
【０１１８】
また、挿入方向判定部２３及び装着判定部２９による比較及び判定、または判定のみを制御部２０が行ってもよい。
【図面の簡単な説明】
【０１１９】
【図１】本発明の第１の実施の形態に係る書込みシステムを正面から見た断面図である。
【図２】本発明の第１の実施の形態に係る書込みシステムの平面図である。
【図３】（ａ），（ｂ）は、それぞれタイプの異なる表示記録媒体の層構成を模式的に表わしたものであり、図２のＡ−Ａ線断面図である。
【図４】本発明の第１の実施の形態に係る書込み装置の制御系を示すブロック図である。
【図５】表示記録媒体の挿入方向と給電端子間を流れる電流の値を示し、（ａ）は、表示記録媒体が正常に挿入された場合、（ｂ）は、挿入方向が間違った場合、（ｃ）は、表示記録媒体内の断線の場合、（ｄ）は、表示記録媒体が劣化した場合をそれぞれ示す図である。
【図６】本発明の第１の実施の形態に係る書込みシステムの動作を示すフローチャートである。
【図７】本発明の第２実施の形態に係る書込みシステムを示し、（ａ）は斜視図、（ｂ）は、（ａ）のＢ−Ｂ線断面図である。
【図８】本発明の第２実施の形態に係る書込み装置の制御系を示すブロック図である。
【図９】本発明の第２の実施の形態に係る書込みシステムの動作を示すフローチャートである。
【図１０】本発明の第３の実施の形態に係る書込みシステムの斜視図である。
【符号の説明】
【０１２０】
１Ａ〜１Ｃ  書込みシステム
２  表示記録媒体
２ａ  表面
２ｂ  裏面
２ｃ  書込み領域
３  下部筐体
３ａ  挿入口
４  上部筐体
５  空間
５ａ  挿入口
６  挿入センサ
７Ａ〜７Ｄ  搬送ローラ
８  ストッパ
９Ａ，９Ｂ  給電端子
１０  光照射部
１１  メッセージ表示部
２０  制御部
２１  電圧印加部
２２  電流検出部
２３  挿入方向判定部
２４  搬送駆動部
２５  ＬＣＤパネル駆動部
２６  バックライト点灯部
２７  画像データ記憶部
２８  通信Ｉ／Ｆ
２９  装着判定部
１００Ａ〜１００Ｃ  書込み装置
１１０  ＬＣＤパネル
１１１  バックライト
１１２  画像光
１２０  装置本体
１２１  ベース部
１２２  スタンド部
１２３  表示部
１２４  ケーブル
１３０  コネクタ
１３１  コネクタケース
１３２  溝
１３２ａ，１３２ｂ  当接面
１３３  操作ボタン
１４０  装置本体
１４１  ヒンジ
１４２  ストッパ
１４３ａ，１４３ｂ  当接面
１５０  タブレットＰＣ部
１５１  入力表示部
１５２  電子ペン
２００Ａ，２００Ｂ  基板
２０１Ａ，２０１Ｂ  電極
２０２  液晶層
２０２ａ  マイクロカプセル
２０３  光導電層
２０４  光吸収層
２０５  隔離層
２０６Ａ，２０６Ｂ  受電端子
２０７  延在部
【図１】
2007331339.tif 000003
【図２】
2007331339.tif 000004
【図３】
2007331339.tif 000005
【図４】
2007331339.tif 000006
【図５】
2007331339.tif 000007
【図６】
2007331339.tif 000008
【図７】
2007331339.tif 000009
【図８】
2007331339.tif 000010
【図９】
2007331339.tif 000011
【図１０】
2007331339.tif 000012